(57)【要約】【課題】比較的小型で大きな設置場所がなくても設置できるコンパクトな廃棄材料の比重液分別機における廃棄材料供給装置およびこの廃棄材料供給装置を備える比重液分別機を提供する。【解決手段】比重液槽１内に突入配置して廃棄材料供給円筒１４を設け、この廃棄材料供給円筒１４の下部先端開口２１を比重液槽１内の底部に向けて配置し、廃棄材料供給円筒１４内に駆動モーター１６により回転する回転軸１５を設け、この回転軸１５に廃棄材料を押し込み供給する突片１７を放射方向に突設してなることを特徴とするものである。【選択図】図１
2011011143.tif 000002
【特許請求の範囲】
【請求項１】
破砕された廃棄材料を比重液槽内により沈殿又は浮遊させて分別する廃棄材料の比重液分別機において、比重液槽内に突入配置して廃棄材料供給円筒を設け、この廃棄材料供給円筒の下部先端開口を比重液槽内の底部に向けて配置し、廃棄材料供給円筒内に駆動モーターにより回転する回転軸を設け、この回転軸に廃棄材料を押し込み供給する突片を放射方向に突設してなることを特徴とする廃棄材料の比重液分別機における廃棄材料供給装置。
【請求項２】
上記突片が回転軸に沿って等寸法、等角度づつ向きを変えて放射方向に配列してある上記請求項1に記載の廃棄材料の比重液分別機における廃棄材料供給装置。
【請求項３】
上記等角度が９０°である上記請求項２に記載の廃棄材料の比重液分別機における廃棄材料供給装置。
【請求項４】
上記各突片が廃棄材料の押し込み方向に対して偏角可能としてある上記請求項１乃至３の何れかに記載の廃棄材料の比重液分別機における廃棄材料供給装置。
【請求項５】
上記廃棄材料供給円筒の上部に、廃棄材料の供給を受けるホッパーに連通する開口を設けてある上記請求項１乃至４の何れかに記載の廃棄材料の比重液分別機における廃棄材料供給装置。
【請求項６】
破砕された廃棄材料を比重液槽内により沈殿又は浮遊させて分別する廃棄材料の比重液分別機であって、比重液槽内の底部から斜めに配置して位置付けた排出用スクリュー筒を設ける一方、比重液槽の上部内に一端を介入して僅かに斜めに配置して位置付けた排出スクリュー筒を設けてあり、さらに上記請求項１乃至５の何れかに記載した廃棄材料供給装置を備えることを特徴とする廃棄材料の比重液分別機。
【請求項７】
比重液槽上に浮遊する廃棄材料を排出スクリュー筒の方に移動させる回転部材を設けてある上記請求項６に記載の廃棄材料の比重液分別機。
【発明の詳細な説明】
【技術分野】
【０００１】
本発明は、廃棄された各種電子機器、家庭用電気製品等の廃棄材料を破砕して、この廃棄材料を比重液により分別する廃棄材料の比重液分別機における廃棄材料供給装置およびこの廃棄材料供給装置を備える廃棄材料の比重液分別機に関する。
【背景技術】
【０００２】
使い捨てカメラ、各種小型電子機器あるいは家庭用電気製品等は使用し終わったら廃棄されるが、これらには再使用される材料が多く含まれている。特に廃棄プラスチック材料には再生される材料が多い。
従来から、これら廃棄材料を破砕して種々の材料に分別する手段として、比重液分別手段が公知であり使用されている。即ち、比重液より比重の重い材料を比重液槽内で沈殿させ、比重液より比重の軽い材料を比重液槽上に浮遊させ、これらを分別させる手段である。
【発明の概要】
【発明が解決しようとする課題】
【０００３】
従前公知の比重液分別機は、比重液槽を多数連接して構成され、比較的大掛かりとなり、装置として設置するのに広い場所が必要となるという課題があった。
本発明は、上記課題に鑑み、比較的小型で大きな設置場所がなくても設置できるコンパクトな廃棄材料の比重液分別機における廃棄材料供給装置およびこの廃棄材料供給装置を備える比重液分別機を提供する。
【課題を解決するための手段】
【０００４】
そのため、本発明の廃棄材料の比重液分別機における廃棄材料供給装置は、比重液槽内に突入配置して廃棄材料供給円筒を設け、この廃棄材料供給円筒の下部先端開口を比重液槽内の底部に向けて配置し、廃棄材料供給円筒内に駆動モーターにより回転する回転軸を設け、この回転軸に廃棄材料を押し込み供給する突片を放射方向に突設してなることを特徴とするものである。
さらに、本発明の廃棄材料の比重液分別機は、比重液槽内の底部から斜めに配置して位置付けた排出用スクリュー筒を設ける一方、比重液槽の上部内に一端を介入して僅かに斜めに配置して位置付けた排出スクリュー筒を設けてあり、さらに上記請求項１乃至５の何れかに記載した廃棄材料供給装置を備えることを特徴とするものである。
【発明の効果】
【０００５】
本発明の廃棄材料の比重液分別機における廃棄材料供給装置は、比重液槽内に突入配置して廃棄材料供給円筒を設け、この廃棄材料供給円筒の下部先端開口を比重液槽内の底部に向けて配置し、廃棄材料供給円筒内に駆動モーターにより回転する回転軸を設け、この回転軸に廃棄材料を押し込み供給する突片を放射方向に突設してなることを特徴とするから、廃棄材料供給円筒内に比重液が充満し、廃棄材料を比重液に馴染ませることができ、また、廃棄材料供給円筒内に廃棄材料が詰まって入っている中で回転軸が回転し、突片により廃棄材料を押し込み供給するから、廃棄材料同士が摩擦、揉み合って廃棄材料の表面に付着した油、汚れをよく取り除くことができる効果がある。さらに廃棄材料供給円筒の下部先端開口を比重液槽内の底部に向けて配置してあることにより、廃棄材料は比重液槽内の底で開放され、比重液槽内で長く移動することになり、沈殿物又は浮遊物を正確に分離することができる効果がある。
【０００６】
さらに、本発明の廃棄材料の比重液分別機は、比重液槽内の底部から斜めに配置して位置付けた排出用スクリュー筒を設ける一方、比重液槽の上部内に一端を介入して僅かに斜めに配置して位置付けた排出スクリュー筒を設けてあり、さらに上記請求項１乃至５の何れかに記載した廃棄材料供給装置を備えることを特徴とするから、多数の比重液槽を必要とすることなく、比較的小型の１つの比重液槽があれば分別作業ができ、大きな設置場所の必要がなく、コンパクトで経済的な比重液分別機を提供できる効果がある。
【図面の簡単な説明】
【０００７】
【図１】本発明の廃棄材料供給装置を備える廃棄材料の比重液分別機の正面図である。
【図２】本発明の廃棄材料供給装置の廃棄材料供給円筒の拡大断面図である。
【図３】同じく廃棄材料供給円筒の軸方向に沿う拡大断面図である。
【発明を実施するための形態】
【０００８】
図１は、本発明の廃棄材料供給装置を備える廃棄材料の比重液分別機の正面図である。
この図１中に本発明の廃棄材料供給装置Ａが示されている。
この廃棄材料供給装置Ａは、後述する廃棄材料の比重液分別機の比重液槽１内に突入配置して廃棄材料供給円筒１４を設けてあり、この廃棄材料供給円筒１４の下部先端開口２１を比重液槽１内の底部に向けて配置してあり、廃棄材料供給円筒１４内に駆動モーター１６により回転する回転軸１５を儲け、この回転軸１５に廃棄材料を押し込み供給する突片１７を放射方向に突設してある。
【０００９】
廃棄材料供給円筒１４の内面には、４本の等間隔をおき、回転軸１５の軸方向に平行する内向きリブ２２を設けてある。また、上記突片１７は、回転軸１５に沿って等寸法、等角度づつ向きを変えて放射方向に配列して設けてあり、図示した実施例では上記等角度が９０°である。
上記突片１７は、廃棄材料供給円筒１４内に供給された廃棄材料を比重液槽１内に押し込み供給するよう、廃棄材料の押し込み方向に対して偏角可能としてある。そのために、突片１７の基端に軸２３を設け、この軸２３を回転軸１５に貫通し、ナット２４により適宜位置に偏角可能にネジ止めするようにしてある。  また、廃棄材料供給円筒１４の上部に廃棄材料の供給を受けるホッパー１２に連通する開口１３を設けてある。
【００１０】
本発明の廃棄材料供給装置では、廃棄材料供給円筒１４内に比重液が充満し、
廃棄材料を比重液に馴染ませることができ、また、廃棄材料供給円筒１４内に廃棄材料が詰まって入っている中で回転軸１５が高速回転し、突片１７により廃棄材料を押し込み供給するから、廃棄材料同士が摩擦、揉み合って廃棄材料の表面に付着した油、汚れをよく取り除くことができる。さらに、廃棄材料供給円筒１４の下部先端開口２１を比重液槽１内の底部に向けて配置してあることにより、廃棄材料は比重液槽１内の底で開放され、比重液槽１内で長く移動することになり、沈殿物又は浮遊物を正確に分離することができる。
【００１１】
次に、本発明の廃棄材料の比重液分別機について説明する。
図中符合１が比重液槽で、基礎枠２上に設置してある。この比重液槽１は正面から見て、下側半分以上の部分が逆三角形状をしており、前後方向には平面状長方形となっている。
この比重液槽１中には比重液が収められ、この比重液は分別する廃棄材料によって選択される。この比重液は単なる水の場合もあり、食塩水、アルコール混合水等がある。単なる水の場合は水より比重の重い廃棄材料が沈殿し、水より軽い廃棄材料が浮遊する。食塩水の場合は塩分量にもよるが、比重が１．０１〜１．２０程になり、この比重より重い材料と軽い材料を分別する。逆に、アルコール混合水は比重が０．９９〜０．８０程になり、この比重より重い材料と軽い材料を分別する。
【００１２】
比重液槽１の傾斜する側壁３に沿って、側壁３の外側に比重液槽１の底部４から斜めに排出用スクリュー筒５を設けてある。この排出用スクリュー筒５は円筒であり、内部にスクリュー軸６を設けてあり、このスクリュー軸６を駆動モータ７により回転する。
上記比重液槽１の側壁３の下半部とスクリュー筒５とにそれぞれ開口部８を設けてあり、比重液槽１とスクリュー筒５とを連通させてある。
【００１３】
一方、比重液槽１の上部に浮遊する廃棄材料を排出する排出用スクリュー筒９を設け、その一端を水槽１の上部内に介入しており、この排出用スクリュー筒９は僅かに斜めに配置して位置付けてある。この排出用スクリュー筒９にも内部にスクリュー軸１０を設け、このスクリュー軸１０を駆動モータ１１により回転するようにしてある。
この他図中１８は排出用スクリュー筒５上の上端に設けた排出口であり、同じく図中１９は排出用スクリュー筒９に設けた排出口であり、図中２０，２０は浮遊する廃棄材料を排出用スクリュー筒９の方に移動させる回転部材である。
【００１４】
上記の通りの構成からなる本発明比重液分別機の作用につき説明する。
先ず、分別する破砕された廃棄材料をホッパー１２内に投入すると、この廃棄材料が廃棄材料供給装置Ａの破砕材料供給円筒１４に供給される。この破砕材料供給円筒１４内では突片１７を有する回転軸１５が回転しているから、廃棄材料は破砕材料供給円筒１４内で押し込まれ、比重液内に供給され、比重液槽１内の比重液内に供給される。比重液内に供給された比重液の比重より重い廃棄材料は比重液槽１内に沈殿し、比重液より軽い廃棄材料は比重液槽１内の比重液に浮遊する。
そして、沈澱した廃棄材料は排出用スクリュー筒５のスクリュー軸６により上方に搬送され、排出口１８から排出される。同じく比重液上に浮遊した廃棄材料は排出用スクリュー筒９内のスクリュー軸１０によって搬送され、排出口１９から排出される。
【符号の説明】
【００１５】
１  比重液槽
２  基礎枠
３  側壁
４  底部
５  排出用スクリュー筒
６  スクリュー軸
７  駆動モータ
８  開口部
９  排出用スクリュー筒
１０  スクリュー軸
１１  駆動モータ
１２  ホッパー
１３  開口
１４  廃棄材料供給円筒
１５  回転軸
１６  駆動モータ
１７  突片
１８  排出口
１９  排出口
２０  回転部材
２１  下部先端開口
２２  内向きリブ
２３  軸
２４  ナット
【図１】
2011011143.tif 000003
【図２】
2011011143.tif 000004
【図３】
2011011143.tif 000005